(57)【要約】【課題】１種類のソケットを用いて、外壁に対して複数の壁を固定することにある。【解決手段】浄化槽の外壁２と内壁１２には、各々、ソケット２８を挿通するための開口６，１６を設けた固定部４，１４があり、外壁２と内壁１２の間には、固定部４，１４とは異なる場所に、少なくとも１枚の中間壁８が介挿しており、ソケット２８のフランジ部３０とナット２０の締め付け力でもって、両固定部４，１４を密着固定するとともに、外壁２及び内壁１２に介挿の中間壁８を挟みつける構成である。【選択図】図４
2008043888.tif 000002
【特許請求の範囲】
【請求項１】
浄化槽の外壁及び内壁のそれぞれに設けた開口に、フランジ部を設けたソケットを挿通して、前記ソケット外周のネジ部にナットを螺合して締め付けることにより、前記フランジ部と前記ナットの締め付け力でもって前記外壁及び前記内壁をその厚み方向から挟みつけて固定するソケット固定構造であって、
前記外壁と前記内壁には、各々、前記ソケットを挿通するための開口を設けた固定部があり、
前記外壁と前記内壁の間には、前記固定部とは異なる場所に、少なくとも１枚の中間壁が介挿しており、
前記フランジ部と前記ナットの締め付け力でもって、前記両固定部を密着固定するとともに、前記外壁及び前記内壁に介挿の前記中間壁を挟みつける構成であるソケット固定構造。
【発明の詳細な説明】
【技術分野】
【０００１】
本発明は、ソケットを用いて、浄化槽の外壁に対して内壁などの複数の壁を固定する構造に関する。
【背景技術】
【０００２】
従来、筒状のソケットを用いて、排水を浄化する浄化槽の外壁に対して内壁を固定する構造が知られている。例えば特許文献１の技術では、浄化槽外壁（外壁）及び浄化槽内部に配置の消毒槽壁（内壁）からなる２重壁に、フランジを設けたソケットを挿通し、その外周のネジ部にナットを螺合して、フランジとナットの締め付け力でもって外壁に内壁を固定する。そして上述のソケットは、一般的に、その一端が浄化槽外に必要以上に突出して破損原因とならないよう、設計上の要請から、上述の２重壁の厚みと対応の筒寸法を有する規格品（２重壁用のソケット）を使用する。
【０００３】
ところで上述の浄化槽では、その内部において効率良く複数の浄化処理を行うため、浄化槽内に曝気用の槽（例えば、後述の処理槽）を別に配置し、更にその内部に消毒槽を配置する（３重壁構造とする）ことがある。このような場合、浄化槽の複数の壁を固定するには、外壁、処理槽壁（中間壁）及び内壁からなる３重壁にソケットを挿通する必要がある。
【特許文献１】特開２００４‐２１６３３５号
【発明の開示】
【発明が解決しようとする課題】
【０００４】
しかしながら、上述の２重壁用のソケットでは、３重壁の厚みに対して筒寸法が短いので共用できない。このため、別途、３重壁用の筒寸法の長い（筒長な）ソケットを用意しなければならず、浄化槽の部品点数が増加していた。
なお、３重壁用の筒長なソケットを２重壁構造を有する浄化槽に共用しようとしても、２重壁の厚みに対して３重壁用のソケットが筒長なので、その一端が浄化槽外に設計上の要請以上に突出する。この突出したソケットに他の物（浄化槽とは異なる他の装置や機械器具）がぶつかる（外力が加わる）ことで、ソケットや浄化槽又は他の物にヒビ割れやキズつきなどの破損が生ずる原因となる。更にソケットに対するナットの締め付け等の工数が増して時間がかかる。
本発明は、このような点に鑑みて創案されたものであり、本発明の目的とするところは、１種類のソケットを用いて、外壁に対して複数の壁を固定することにある。
【課題を解決するための手段】
【０００５】
上記課題を解決するための手段として、本発明のソケット固定構造では、外壁及び内壁に、各々、ソケットを固定するための開口を有する固定部を設け、この両固定部とは異なる場所に、外壁及び内壁の間に介挿の中間壁を配置する。
外壁及び内壁において、少なくとも１枚の中間壁が介挿の場所では、外壁、中間壁及び内壁からなる３重壁の厚みに対応する隙間間隔（クリアランスＬ１）がある。このため前記場所では、２重壁の厚みと対応の筒寸法Ｌ３を有するソケット（２重壁用のソケット）を挿通しようとしても、その筒寸法が短いので適切な挿通が不可能である。
【０００６】
一方、外壁及び内壁に各々形成の固定部には、その間に中間壁が介挿していない。このため、両固定部間の隙間間隔（クリアランスＬ２）を、中間壁の厚み及び枚数とは無関係に設定可能である。例えば、前記２重壁用のソケットを内壁側の開口より挿し込むと必ずソケットが外壁側の開口から突出して、この突出したソケット外周に形成のネジ部にナットを螺合可能となるように、両固定部間のクリアランス２を調節する。このようにすれば、外壁と内壁との間に複数の中間壁が介挿していても、必ず筒寸法Ｌ３のソケットを両固定部にて挿通することができる。
【０００７】
そして、フランジ部を設けた当該ソケットを両固定部の開口に挿通して、ソケット外周に形成のネジ部にナットを螺合して締め付けることにより、フランジとナットの締め付け力でもって外壁及び内壁をその厚み方向から挟みつける。このようにすれば、フランジとナットの締め付け力でもって両固定部を密着固定するとともに、外壁及び内壁の間に中間壁を挟みつけて固定することができる。
【発明の効果】
【０００８】
本発明によれば、１種類のソケットを用いて、外壁に対して複数の壁を固定することができる。
【発明を実施するための最良の形態】
【０００９】
以下に、本発明を実施するための最良の形態を図面１〜４を参照して説明する。図１は、浄化槽の縦断面図であり、図２は、浄化槽の第三室を分解して示す一部斜視図である。なお、各図における各室Ａ〜Ｃ及び槽Ｄ，Ｅをつなぐ通路及びポンプなどの液体輸送装置は、設計上の要請により適宜場所設定がなされるので特に図示しない。
【００１０】
本実施例の浄化槽３２は、所定の敷地内に埋設して使用する排水浄化用の槽である。
浄化槽３２の内部は、３つの室に区分けしてあり、流入ソケット３６より流入の排水に対して、順に、夾雑物の除去（第一室Ａ）、嫌気ろ過（第二室Ｂ）及び接触ろ過（第三室Ｃ）を行う。そして第三室Ｃでは、接触ろ過（曝気処理）のほかに、曝気処理にて発生の固形物を沈殿して上澄液を得る沈澱処理及び消毒処理（最終処理）の２処理を行うため、固形物が沈殿する処理槽Ｄが第三室Ｃ内に配置しており、更にこの処理槽Ｄの内部に、上澄液に対して消毒処理を行う消毒槽Ｅが配置している。
処理槽Ｄは、横断面略コ字状の槽であり、その両端が第三室Ｃの隔壁３４に固定している。処理槽Ｄ内部に配置の消毒槽Ｅは、第三室Ｃ及び処理槽Ｄとは別個の略矩形状の独立槽である。
【００１１】
上述の消毒槽Ｅにて消毒済みの処理水は、消毒槽Ｅと浄化槽３２外部を連通する放流ソケット２８にて外部に放流される。この放流ソケット２８を挿通すべき場所（図１で見て、浄化槽３２の右端上部）は、上述の通り、第三室Ｃの壁（外壁２）と消毒槽Ｅの壁（内壁１２）との間に処理槽Ｄの壁（中間壁８）が介挿して、部分的にではあるが３重壁構造となっている。
そして本実施例では、この３重壁構造を有する浄化槽３２において、２重壁にも挿通可能な放流ソケット２８を使用可能とし、この放流ソケット２８によって、外壁２に対して中間壁８及び内壁１２を固定することを特徴とする。
【００１２】
図３は、ソケット固定前の浄化槽の一部縦断面図であり、図４は、ソケット固定後の浄化槽の一部縦断面図である。
放流ソケット２８は、２重壁の厚みと対応する筒寸法Ｌ３を有し、その一端側外周に形成のネジ部にナット２０を螺合する。そして、放流ソケット２８の他端には、その周方向外方に突出して形成の略円盤状のフランジ部３０がある（図２を参照）。
そして外壁２と内壁１２の間には、１枚の中間壁８とシール材２４（略Ｕ字状）が介挿してある。このため、外壁２と内壁１２の中間壁８が介挿の場所では、少なくとも３重壁以上の隙間間隔（クリアランスＬ１）があり、当該場所において放流ソケット２８を挿通しようとしても、その筒寸法Ｌ３が短いので適切な挿通が不可能である。
【００１３】
一方、内壁１２には、放流ソケット２８を挿通するための開口１６を有する第一固定部１４が設けてあり、外壁２には、放流ソケット２８を挿通するための開口６（開口１６と同径）を有する第二固定部４が設けてある。なお開口６は、設計上許容誤差の範囲内において開口１６と異径（ほぼ同径）であってもよい。
第一固定部１４は、第二固定部４に向かって、内壁１２の厚み方向に略Ｕ状（半楕円状）に突出形成している（内壁１２平面に対して縦断面略Ｌ字状に曲折している）。一方、上述の中間壁８には、当該第一固定部１４と同方向にて嵌合可能な略Ｕ状（半楕円状）の切り欠き部１０が設けてある（図２を参照）。そして第一固定部１４を、第二固定部４を臨むように中間壁８の切り欠き部１０に嵌め込むことで、中間壁８は、両固定部４，１４間に介挿することなく、上述の両固定部４，１４とは異なる場所に配置（介挿）する。
【００１４】
両固定部４，１４の間には、上述の通り中間壁８が介挿していないので、中間壁８の厚み（枚数）とは無関係に、両固定部４，１４間の隙間（クリアランスＬ２）を設定可能である。つまり上述の第一固定部１４の突出度合を調節することで、クリアランスＬ２を、クリアランスＬ１と異ならして設定することができる。
そして、第一固定部１４が、１枚の中間壁８とシール材２４の厚みの分だけ、第二固定部４に向けて突出する（クリアランスＬ２を調節する）ことで、クリアランスＬ１よりもクリアランスＬ２が小さくなり（狭くなり）、両固定部４，１４の場所においてはほぼ２重壁構造となる。このようにすれば、第一固定部１４の開口１６に２重壁用の放流ソケット２８を挿し込むと、必ず第二固定部４の開口６から突出するので、この突出した放流ソケット２８外周に形成のネジ部にナット２０を螺合することができる。
【００１５】
上述の構成によれば、外壁２と内壁１２の間に中間壁８があるとしても、第一固定部１４の開口１６及び第二固定部４の開口６に放流ソケット２８を挿通することで、放流ソケット２８外周のネジ部にナット２０を螺合することができる。そして、フランジ部３０とナット２０の締め付けでもって、両固定部４，１４を密着固定するとともに、外壁２及び内壁１２に介挿の中間壁８を同時に挟みつけて固定することができる。なお防水上の観点から、放流ソケット２８のフランジ部３０と第一固定部１４の間にシール材（略Ｏ字状）２６を介挿し、内壁１２と外壁２の間にもシール材（略Ｏ字状）２２を介挿しておく。
この結果、浄化槽３２では、１種類の放流ソケット２８（２重壁用のソケット）を用いて、外壁に対して中間壁８及び内壁１２（複数の壁）を固定することができる。換言すると、放流ソケット２８を、２重壁構造を有する浄化槽及び３重壁構造を有する浄化槽のいずれにも共用して使用することができる。
【００１６】
上述の構成によれば、浄化槽３２（第三室Ｃ）及び処理槽Ｄに対して消毒槽Ｅを確実にシール状態で固定することができるので、消毒槽Ｅ内の消毒済み処理水が第三室Ｃや処理槽Ｄに漏洩することを防止又は低減することができる。そして、第三室Ｃ及び処理槽Ｄ内の曝気処理に使用の好気性微生物が、消毒済み処理水の悪影響を受けることなく好適に働き、第三室Ｃ及び処理槽Ｄにおいて所望の効果を得ることができる。
【００１７】
本実施例の構造は、上述の実施例で説明した外観、構成、処理、表示例等に限定されず、本発明の要旨を変更しない範囲で種々の変更、追加、削除が可能である。
本実施例においては、第一固定部１４と第二固定部４のクリアランスＬ２を小さく設定するために、内壁１２に形成の第一固定部１４を、外壁２に形成の第二固定部４に向かって突出形成（内壁１２平面に対して縦断面略Ｌ字状に曲折）する例を説明した。
これとは異なり、外壁２に形成の第二固定部を、内壁１２に形成の第一固定部に向かって突出形成（外壁２平面に対して縦断面略Ｌ字状に曲折）してもよい。また外壁２に形成の第二固定部と内壁１２に形成の第一固定部を、互いに近づくように突出形成してもよい。
【００１８】
また本実施例においては、第一固定部１４を、第二固定部４に向かって、内壁１２平面に対して略Ｌ字状に曲折形成する例を説明した。これとは異なり、第一固定部１４を、第二固定部４に向かって、内壁１２平面に対して半円状に湾曲形成してもよい。また第一固定部１４と第二固定部４を、図３の縦断面で見て、下から上に次第に隙間間隔が狭まる略ハ字状に傾斜して構成してもよい。フランジ部３０とナット２０の締め付けでもって、第一固定部１４と第二固定部４の上部を、下部に対してより強く締め付けることができる。また逆に、第一固定部１４と第二固定部４を、図３の縦断面で見て、上から下に次第に隙間間隔が狭まる略逆ハ字状に傾斜して構成してもよい。フランジ部３０とナット２０の締め付けでもって、第一固定部１４と第二固定部４の下部を、上部に対してより強く締め付けることができる。
【００１９】
本実施例においては、第一固定部１４と第二固定部４の間にクリアランスＬ２を設けて、フランジ部３０とナット２０による締め付けによって互いに当接する例を説明した。これとは異なり、第一固定部１４と第二固定部４の間にクリアランスを設けず、両者が予め当接する設定（ゼロ隙間設定）としてもよい。
【００２０】
また本実施例においては、両固定部４，１４とは異なる場所に中間壁８を配置するため、略Ｕ状の切り欠き部１０を有する中間壁８の例を説明した。これとは異なり、内壁１２の第一固定部１４（又は外壁２の第二固定部４）を嵌め込み可能な孔部を有する中間壁としてもよい。
【００２１】
また本実施例においては、フランジ部３０を一体に形成した放流ソケット２８の例を説明した。これとは異なり、フランジ状のナット２０を放流ソケット２８に螺合する構成としてもよい。
また本実施例においては、処理水を放流するための放流ソケット２８を使用する例を説明した。本構造は、複数の壁に挿通のソケットに広く適用可能であり、例えば、流入ソケット３６を３重壁に固定する場合にも、本構造を用いて固定可能である。
また本実施例においては、２重壁用のソケットを３重壁構造の浄化槽に共用化する例を説明した。これとは異なり、３重壁以上の壁数（中間壁が２枚以上）を有する浄化槽にも本構造を適用可能である。また更に、３重壁用のソケットを２重壁構造の浄化槽に共用化することも可能であり、この場合には、外壁２に形成の第二固定部と内壁１２に形成の第一固定部を、互いに離れるように突出形成する。つまりクリアランスＬ２を３重壁用のソケットの筒寸法に合わせて大きくする。
【図面の簡単な説明】
【００２２】
【図１】浄化槽の縦断面図である。
【図２】浄化槽の第三室を分解してその上部のみを示す一部斜視図である。
【図３】放流ソケット固定前の浄化槽の一部縦断面図である。
【図４】放流ソケット固定後の浄化槽の一部縦断面図である。
【符号の説明】
【００２３】
２          外壁
４          第二固定部
６          外壁の開口
８          中間壁
１０        切り欠き部
１２        内壁
１４        第一固定部
１６        内壁の開口
２０        ナット
２２，２６  シール材（略Ｏ字状）
２４        シール材（略Ｕ字状）
２８        放流ソケット
３０        フランジ部
３２        浄化槽
３４        浄化槽の隔壁
３６        流入ソケット
Ａ          第一室
Ｂ          第二室
Ｃ          第三室
Ｄ          処理槽
Ｅ          消毒槽
【図１】
2008043888.tif 000003
【図２】
2008043888.tif 000004
【図３】
2008043888.tif 000005
【図４】
2008043888.tif 000006